【事件の表示】
　特願２００５−　８７８９４「欠陥マーキング装置」拒絶査定不服審判事件〔平成１８年１０月　５日出願公開、特開２００６−２６６９８１〕について、次のとおり審決する。
【結　論】
　本件審判の請求は、成り立たない。
【理　由】
第１　手続の経緯
　本願は，平成１７年３月２５日の特許出願であって，平成１９年９月５日付けで拒絶査定がなされ，これに対し，平成１９年１０月１０日に拒絶査定不服審判が請求されたものである。
　
第２　本願発明
　本願の請求項１〜４に係る発明は，平成１９年５月２９日付けの手続補正書により補正された特許請求の範囲の請求項１〜４に記載された事項により特定されたものと認められ，その請求項１に係る発明は，次のとおりである。
　
「【請求項１】
　長さ方向に搬送される長尺の合成樹脂シート状製品の欠陥を検査装置により検出し，該検査装置より搬送方向の下流側において検出された欠陥部分にマーキングを施す装置において，ペン先を封鎖するシャッターを備えた油性マーキングペン収納管に収納された油性マーキングペンによりマーキングを施し，検査装置から送られる信号に基づいて油性マーキングペン収納管のシャッターが開かれ，油性マーキングペンが押し出されてペン先により合成樹脂シート状製品の欠陥部分にマーキングが施され，マーキングを施し終えたのち油性マーキングペンが引き込まれ，シャッターが閉じられる欠陥マーキング装置であって，油性マーキングペンは合成樹脂シート状製品の幅方向に３０ｍｍ以下の間隔に，多数個配列されてなり，該油性マーキングペンが水平方向に移動して合成樹脂シート状製品にマーキングを施したのち引き込まれる機構であり，シャッターの開閉をエアシリンダーの作動により行い，油性マーキングペンの押し出しと引き込みを作動時間が２０ｍｓ以下のソレノイドの作動により行うことを特徴とする欠陥マーキング装置。」（以下，「本願発明」という。）
　
第３　引用刊行物およびその記載事項
　本願出願前に頒布され，原査定の拒絶の理由に引用された刊行物である特開２００３−２００３６５号公報（以下，「引用刊行物」という。）には，「高速応答マーキング装置およびマーキング付き金属材の製造方法」について，図面とともに次の事項が記載されている。
　
（１−ア）
「【請求項１】  検査装置により検出された被検査体の疵部や特異部をマーキングするマーキング装置であって，
前記マーキング装置は，マーカーペンが着脱自在に取り付けられたペンホルダーと，前記ペンホルダーをマーカーペンと共に昇降させるためのペンホルダー昇降機構と，前記マーカーペンのペン先を保護する開閉可能な保護キャップと，前記ペンホルダー昇降機構と連動させて前記保護キャップを開閉するシャッター機構とを備えることを特徴とする高速応答マーキング装置。」
　
（１−イ）
「【００１９】・・・市販のマーカーペン等を使用し，インクの種類や色にこだわることなく容易にマーキングが可能」
　
（１−ウ）
「【００３１】この発明の装置によれば，薄鋼板等の金属材に生じた疵部や特異部等にマーキング指令が発せられると，その指令が制御装置に入力され，マーキング指令入力点からマーキング点までの間をトラッキングし，所要のマーキング点前でペンキャップが開かれ，マーキングペンを待機位置まで下降させる。そして，マーキング点がマーキングペン直下を通過する直前に，マーキングペンを金属材の被マーキング部位に押し付けてマーキングが行われる。
【００３２】マーキング終了時には，マーキングペンは元の位置に戻され，ペンキャップによりマーキングペンが覆われてその乾燥が防止される。従って，マーキングのトラッキングや高速応答が要求されるラインなどに適用して，金属材に生じた疵部や特異部を正確にマーキングすることができる。」
　
（１−エ）
「【００３６】なお，本発明は，金属材にかぎられず，その他の被検査体，例えば，紙，フィルム，ゴム，塩化ビニール，布等に適用することができる。」
　
（１−オ）
「【００３７】【発明の実施の形態】次に，この発明の装置を図面を参照しながら説明する。図１はこの発明の装置の概略垂直断面図，図２はその平面図，図３はその側面図である。図面に示すように，この発明のマーキング装置２３は，スライドテーブル１０に支持された筒状のペンホルダー２と，ペンホルダー２内に着脱自在に挿入されたマーカーペン４と，スライドテーブル１０によってマーカーペン４をペンホルダー２と共に高速で昇降させるための，支持板１１に設けられたペンホルダー昇降機構としての流体圧シリンダー５と，ペンホルダー２が支持されているスライドテーブル１０を，支持板１１に沿って低速で昇降させるための，同じくペンホルダー昇降機構としてのラックピニオン６および昇降用モータ１２と，そして，マーカーペン４のペン先を保護するための，開閉可能な開口を有する保護キャップ１５と，保護キャップ１５の開口を，ペンホルダー昇降機構である流体圧シリンダー５およびラックピニオン６の駆動に連動させて自動的に開閉するシャッター８とからなっている。」
　
（１−カ）
「【００４４】図４は，この発明の装置が設置された薄鋼板製造ラインの概略図である。図面に示すように，矢印の方向に連続的に移動する薄鋼板１の移動ラインに沿って，薄鋼板１の疵や特異部を検出するための，疵検査装置，幅検査装置，厚さ検査装置等のような検査装置２０，手動でマーキング指定する場合の入力スイッチ２１，マーキング制御装置２２およびマーキング装置２３が設けられている。」
　
（１−キ）
「【００４６】検出装置２０によって検出された薄鋼板１の疵や特異部の信号，または，入力スイッチ２１からのマーキング指定信号は，マーキング制御装置２２に送られる。マーキング制御装置２２は，ライントラッキング用パルスジェネレータ２４からのトラッキングパルスを受け，薄鋼板１に対するマーキングすべき位置をトラッキングする。マーキング装置２３は，マーキング制御装置２２から，トラッキングした結果のマーキング指令を受け，薄鋼板１の疵や特異部に対しマーキングを行う。
【００４７】次に，図４および図５に基づいて，本発明装置の作動を説明する。マーキング制御装置２２から，マーキング待機指令を薄鋼板１のマーキング指定点の数ｍ手前で出力する。この待機指令を受けて，マーキング装置２３の昇降用モータ１２を駆動させ，図５（ａ）の収納位置にある，ペンホルダー２が取り付けられているスライドテーブル１０を，図５（ｂ）に示す如く，マーカーペン４のペン先９が保護キャップ１５の開口から突出し，待機位置に位置するように，ラックピニオン６により，スライドテーブル１０の支持板１１を低速で下降させると共に，これと連動させてシャッターシリンダー７を自動的に作動させ，シャッター８を移動して保護キャップ１５の開口を開く。
【００４８】次いで，マーキング制御装置２２からのマーキング指令に基づいて，流体圧シリンダー５を作動させ，スライドテーブル１０に支持されているペンホルダー２を，図５（ｃ）に示す如く下降限の位置まで高速で下降させ，薄鋼板１をマーキングする。
【００４９】マーキング制御装置２２からのマーキング指令はゲート信号であり，ゲート開の状態の間，マーキングを実施する。ゲート信号が解除されると，流体圧シリンダー５の作動によってペンホルダー２を上昇させ待機状態とする。
【００５０】次のマーキング指令がないときは，昇降用モータ１２を作動させ，ペンホルダー２が取り付けられている支持板１１を，図５（ａ）に示す収納位置まで上昇させた上，シャッターシリンダー７を作動させてシャッター８により保護キャップ１５の開口を閉塞し，マーカーペン４のペン先９の乾きを防止する。」
　
（１−ク）
「【００６２】本実施の形態では金属材について説明したが，その他の被検査体，例えば，紙，フィルム，ゴム，塩化ビニール，布等についても適用することができる。」
　
　そして，図４には，長さ方向に連続的に移動する被検査体である薄鋼板１と，検査装置２０と，その下流に位置するマーキング装置２３が記載されていると認められる。
　
　そうすると，これら（１−ア）〜（１−ク）の記載と図４を総合すると，引用刊行物には，以下の発明が記載されていると認められる。
「検査装置より搬送方向の下流側において該検査装置により検出された被検査体の疵部や特異部をマーキングする，マーキング装置であって，マーカーペンのペン先を保護する開閉可能な保護キャップと，前記保護キャップを開閉するシャッター機構を備えたペンホルダーに取り付けられたマーカーペンによりマーキングを施し，検査装置から送られる疵や特異部の信号はマーキング制御装置２２に送られ，マーキング装置２３は，マーキング制御装置２２からのマーキング指令に基づいて，ペンホルダー２を下降させ，被検査体をマーキングし，次のマーキング指令がないときは，ペンホルダー２を上昇させた上，シャッターシリンダー７を作動させてシャッター８により保護キャップ１５の開口を閉塞するマーキング装置。」（以下，「引用発明」という。）
　
第４　対比・判断
　本願発明と引用発明とを対比すると，その機能・構造からみて，引用発明の「被検査体の疵部や特異部」，「マーカーペン」，「保護キャップを開閉するシャッター機構」，「ペンホルダー」，「検査装置から送られる疵や特異部の信号」，「ペンホルダー２を下降」，「ペンホルダー２を上昇」，「シャッターシリンダー７」，「シャッター８により保護キャップ１５の開口を閉塞」は，それぞれ，本願発明の「欠陥」，「マーキングペン」，「ペン先を封鎖するシャッター」，「マーキングペン収納管」，「検査装置から送られる信号」，「マーキングペンが押し出され」，「マーキングペンが引き込まれ」，「エアシリンダー」，「シャッターが閉じられる」に相当することは明らかである。
　また上記（１−ウ）からみて，引用発明は，「長さ方向に連続的に移動する薄鋼板１」のほかにも「例えば，紙，フィルム，ゴム，塩化ビニール，布等」に対しても適用可能であることから，引用発明の「被検体」は「長さ方向に連続的に移動するフィルム」を含むものであるといえ，これは本願発明の「長さ方向に搬送される長尺の合成樹脂シート状製品」に相当するものである。
　
　そうすると，両者は，
（一致点）
　「長さ方向に搬送される長尺の合成樹脂シート状製品の欠陥を検査装置により検出し，該検査装置より搬送方向の下流側において検出された欠陥部分にマーキングを施す装置において，ペン先を封鎖するシャッターを備えたマーキングペン収納管に収納されたマーキングペンによりマーキングを施し，検査装置から送られる信号に基づいてマーキングペン収納管のシャッターが開かれ，マーキングペンが押し出されてペン先により合成樹脂シート状製品の欠陥部分にマーキングが施され，マーキングを施し終えたのちマーキングペンが引き込まれ，シャッターが閉じられる欠陥マーキング装置。」
である点で一致し，次の点で相違する。
　
（相違点１）
　「マーキングペン」について，本願発明では「油性」を使用しているのに対し，引用発明は油性であるか否か不明である点。
　
（相違点２）
　本願発明では「マーキングペンは合成樹脂シート状製品の幅方向に３０ｍｍ以下の間隔に，多数個配列」されているのに対し，引用発明においてはそのような構成をとっていない点。
　
（相違点３）
　「マーキングペン」について，本願発明では「水平方向に移動」するのに対し，引用発明においては上下方向に移動する点。
　
（相違点４）
　本願発明では「マーキングペンの押し出しと引き込みを作動時間が２０ｍｓ以下のソレノイドの作動により行う」のに対し，引用発明ではそのようになっていない点。
　
　まず，相違点１を検討するに，油性マーキングペンは本願出願前に周知であるといえる。
　そして，引用例においては，（１−イ）の記載からして，市販されているマーカーペンが広く使用可能であることが示唆されている。
　そうすると，引用発明におけるマーカーペンとして周知の油性マーキングペンを使用し，相違点１の本願発明の構成とすることは当業者ならば適宜選択し得る設計事項に過ぎないといえる。
　
　次に，相違点２を検討するに，「マーキングペンは合成樹脂シート状製品の幅方向に，多数個配列」についても周知であるといえる。
　例えば，本願出願前に頒布され，原査定の拒絶の理由において引用された特開２００４−４５０７１号公報には「【００１４】マーカー（３１）は１本であってもよいし，２本以上の複数であってもよく，マークの目的に応じて適宜選択される。図２に示すように，複数のマーカー（３１，３１’）を連続シート状物（２）の幅方向に配置することで，互いに並行する複数のマークを連続シート状物に記すことができる。図２には１２本のマーカーを記しているが，その中には連続シート状物（２）にペン先が連続シート状物に接触してマークを記しているマーカー（３１）と，ペン先が連続シート状物（２）から離れていて，マークを記していないマーカー（３１’）とがある。」と記載されている。その際に，マーキングペンの間隔は合成樹脂シート状製品の幅とマーキングペンの数に応じて適宜設計するべきものであり，その間隔を３０ｍｍ以下とすることについても設計的事項に過ぎない。
　そうすると，引用発明において，上記周知の構成を適用して，相違点２における本願発明の構成とすることは，当業者ならば何ら困難性なく，容易に想到し得る事項であるといえる。
　　
　相違点３について検討するに，マーキングペンが「水平方向に移動」する構成は，マーキング装置の分野において周知であるといえる。
　例えば本願出願前に頒布された刊行物である特開昭６１−２５８９５号公報には，「このペンヘッド１８は，４色の筆記具であるボールペン２１〜２４を装着したり，各ボールペン２１はこのペンヘッド１８の下部に取付けた図示しない４個のソレノイドによって各々ペンレバー２５を介して選択駆動され，ペンキャップ２５内のスプリングによって一定圧力で用紙に押しつけられる」（２ページ右上欄１６行〜左下欄１行）という記載とともに，第３図として水平方向に配置，すなわち水平方向に移動可能なペンの図面が記載されている。
　同じく本願出願前に頒布された刊行物である特開昭５９−１０８１８０号公報には，「第１ｂ図に，第１ａ図の装置のプロッタ／プリンタユニットを示す。第１ｂ図を参照して説明する。７がキャリッジであり，この例ではその上に３つのペン（油性ボールペンもしくは水性サインペン）Ｐ１，Ｐ２，Ｐ３が装着されるようになっている。キャリッジ７はガイドバー８およびリアガイド９に支持されており，これらは軸方向に往復可能になっている。」（２ページ右下欄１９行〜３ページ左上欄６行）と記載され，「キャリッジ７の概略構成を第１ｃ図を参照に説明すると，ペンＰ１（Ｐ２，Ｐ３も同様）は，先端がペンレバー１４で支持され，後端がペン押えノブ１５内の圧縮コイルスプリング１６で押圧されている。ペンレバー１４はキャリッジ７に点ＰＯ１を中心として回動自在に支持されており，一端１４ａにはペンソレノイドＰＳ１のプランジャが結合されている。１７はマグネットスプリングである。通常はペンソレノイドＰＳ１のプランジャが図示の位置にあり，ペンＰ１はペンレバー１４により押さえられて先端が記録紙から離れている。ペンソレノイドＰＳ１を付勢すると，ペンレバー１４が回動し，ペンＰ１がスプリング１６に押されて記録紙１３の紙面に当たる。」（３ページ左上欄１９行〜右上欄１３行）と記載されている。そして第１ｂ図，１ｃ図として，水平方向に配置，すなわち水平方向に移動可能なボールペンの図面が記載されている。
　そうすると，引用発明において，上記周知の構成を適用して，相違点３における本願発明の構成とすることは，当業者ならば適宜選択し得る設計事項に過ぎないといえる。
　
　相違点４について検討するに，欠陥マーキング装置において，「マーキングペンの押し出しと引き込みをソレノイドの作動により行う」は，周知であるといえる。
　例えば，本願出願前に頒布された特公昭６０−１９８３１号公報には，「次にマーキング装置について説明する。第２図において，２０はヘッド１２の基板２２に固定されたホルダーであり，これにペンホルダー２４が摺動自在に嵌挿保持されている。前記ペンホルダー２４は載置台２面に対して略５０°の角度を有して傾斜し，該ペンホルダー２４の先端にはフエルトペン２６が取り付けられている。２８はペンホルダー２４の上部ねじ部に螺合する環体であり，これの外周面に円周溝３０が形成されている。３２は前期基板２２に固定されたロータリーソレノイドであり，これの出力軸にアーム３４の一端が固定され，該アーム３４の他端には前期円周溝３０に摺動自在に嵌合している。３６は前記基板２２に固定されたソレノイドであり，これの作動軸３８の先端はコロを介して前期アーム３４に当接している。前記ソレノイド３２，３６はコントロールボツクス内の制御装置に接続している。」（２ページ左欄２１〜３８行目）と記載されている。
　また，欠陥マーキング装置において，マーキングペンをより早く駆動することは当然であり，駆動対象に応じてソレノイドの作動時間を調節することは当業者が適宜設定し得るものであるから，その作動時間を２０ｍｓ以下とすることについても設計的事項に過ぎず，その上限を「２０ｍｓ」にする臨界的意義もない。
　そうすると，引用発明の「欠陥マーキング装置」において，上記周知の構成を適用して，相違点４における本願発明の構成とすることは，当業者ならなんら困難性なく，容易に想到し得る事項であるといえる。
　
　そして，本願明細書に記載された効果も，引用発明および上記周知の技術から，当業者が予測し得る範囲のものであり，格別顕著なものといえない。
　したがって，本願発明は，引用発明および上記周知の事項に基づいて当業者が容易に発明することができたものであるというべきである。
　
　なお，出願人は，平成２１年８月１１日付け上申書において，油性マーキングペンの水平方向の移動構成の作用効果と，それによって「作動時間２０ｍｓ以下」および「合成樹脂シート状製品の幅方向に３０ｍｍ以下の間隔」が達成できた旨主張している。
　しかし，本願明細書の「【０００９】　本発明装置において，油性マーキングペンの移動方向に特に制限はなく，例えば，油性マーキングペンが上方より下降してシート状製品にマーキングを施したのち上方へ引き込まれる構成とすることができ，油性マーキングペンが水平方向に移動してシート状製品にマーキングを施したのち引き込まれる構成とすることもでき，油性マーキングペンが下方より上昇してシート状製品にマーキングを施したのち下方へ引き込まれる構成とすることもでき，あるいは，油性マーキングペンが移動する方向を垂直又は水平以外の任意の角度とすることもできる。」との記載からして，「油性マーキングペンの水平方向移動」は，いくつか想定される移動方向の中のひとつであるとしかいうことができず，その中から水平方向移動を選択することは当業者が適宜実施しうるものであるといわざるをえない。
　さらに本願明細書の「【０００９】・・・油性マーキングペンの押し出しと引き込みをソレノイドの作動により行う場合は，油性マーキングペンを引き込む力はバネによるので，油性マーキングペンの移動は水平方向であることが好ましい。」との記載を参酌しても，油性マーキングペンの「水平方向移動」が所期の「作動時間」「間隔」を達成するための必要不可欠な条件であると解釈することはできない。
　また，【０００９】以外のその他実施例等においては「水平方向移動」について一切記載がなく，明細書全体を見ても，その作用効果が十分に開示されているとは認められない。
　よって，これらの主張は明細書の記載に基づくものではなく，採用できない。
　
第５　まとめ
　以上のとおり，本願発明は，本願出願前に頒布された引用例に記載された発明および周知の事項に基づいて当業者が容易に発明をすることができたものであるから，特許法２９条第２項の規定により特許を受けることができない。
　そして，その余の請求項の発明ついて言及するまでもなく，本願は拒絶されるべきものである。
　
　よって，結論のとおり審決する。